(57)【要約】【課題】透光性を確保しつつ、洪水や津波に対する耐久性を向上させることが可能な防水防護柵、及びこれに用いられる樹脂製パネルユニット連結体を提供する。【解決手段】洪水や津波の浸入を防ぐ防水防護柵に用いられる樹脂製パネルユニット連結体３０であって、ウェブ３１と、ウェブ３１の上下端に形成されたフランジ３２、３３とを有する断面略コ字状のパネルユニット３の開口部を両側から互いに対向させるとともに、当該両側又は何れか一方側がフランジ３２、３３を介して２段以上に亘り連結され、パネルユニット３は、各両側における最上端のフランジ３２ｄ、３２ａ同士及び最下端のフランジ３３ｃ、３３ｅ同士が互いに接合され、連結されたフランジ３３、３２は他のフランジ３３、３２と離間させてなることを特徴とする。【選択図】図５
2015086514.tif 000002
【特許請求の範囲】
【請求項１】
洪水や津波の浸入を防ぐ防水防護柵に用いられる樹脂製パネルユニット連結体であって、
ウェブと、上記ウェブの上下端に形成されたフランジとを有する断面略コ字状のパネルユニットの開口部を両側から互いに対向させるとともに、当該両側又は何れか一方側が上記フランジを介して２段以上に亘り連結される連結フランジ部を備え、
上記パネルユニットは、上記各両側における最上端のフランジ同士及び最下端のフランジ同士が互いに接合され、上記連結フランジ部は他のフランジと離間させてなること
を特徴とする樹脂製パネルユニット連結体。
【請求項２】
上記連結されたフランジは、対向するパネルユニットの開口部のウェブに接触していること
を特徴とする請求項１記載の樹脂製パネルユニット連結体。
【請求項３】
上記最上端のフランジ同士、上記最下端のフランジ同士、上記連結されたフランジの何れか１以上は、パネル延長方向に向けて補剛板が取り付けられていること
を特徴とする請求項１又は２記載の樹脂製パネルユニット連結体。
【請求項４】
上記パネルユニットは、互いに対向させた開口部の内側に補強部材を内装させていること
を特徴とする請求項１〜３のうち何れか１項記載の樹脂製パネルユニット連結体。
【請求項５】
上記補強部材は、互いに対向させた開口部の内側に内接させた板状体であること
を特徴とする請求項４記載の樹脂製パネルユニット連結体。
【請求項６】
上記補強部材は、上記連結されたフランジに対応した位置において板幅が縮幅された縮幅部を有する一枚の板状体であり、
上記連結されたフランジは、上記補強部材の配設位置に対応した位置に上記縮幅部の幅以上の深さからなる切欠が設けられ、上記切欠には、上記補強部材が上記縮幅部を介して嵌合されること
を特徴とする請求項４記載の樹脂製パネルユニット連結体。
【請求項７】
上記連結させるフランジ間には、第１止水材が介装されていること
を特徴とする請求項１〜５のうち何れか１項記載の樹脂製パネルユニット連結体。
【請求項８】
上記連結させるフランジは、ボルト接合され、又は接着剤により接着されていること
を特徴とする請求項１〜６のうち何れか１項記載の樹脂製パネルユニット連結体。
【請求項９】
上記パネルユニットは、透光性樹脂からなること
を特徴とする請求項１〜８のうち何れか１項記載の樹脂製パネルユニット連結体。
【請求項１０】
複数の支柱間に請求項１〜９のうち何れか１項記載の樹脂製パネルユニット連結体が取り付けられていること
を特徴とする防水パネル柵。
【請求項１１】
上記支柱は、支柱ウェブと、上記支柱ウェブの端部に形成された支柱フランジとを有するＨ形鋼又は溝形鋼であり、当該Ｈ形鋼又は溝形鋼の支柱フランジ間に上記樹脂製パネルユニット連結体の端部が挿入され、更に当該支柱フランジと上記樹脂製パネルユニット連結体との間に第２止水材が介装されていること
を特徴とする請求項１０記載の防水パネル柵。
【請求項１２】
請求項５又は６記載の樹脂製パネルユニット連結体が取り付けられ、上記補強部材は、上記第２止水材が上記パネルユニット連結体の外側面と当接している位置に対応して設けられていること
を特徴とする請求項１１記載の防水パネル柵。
【発明の詳細な説明】
【技術分野】
【０００１】
本発明は、沿岸部に設置される防水パネル柵に関し、特に地震による津波や洪水、台風等で生じた高潮による水の浸入を防ぐ上で好適な防水パネル柵、及びこれに用いられる樹脂製パネルユニット連結体に関する。
【背景技術】
【０００２】
従来より、地震による津波や洪水、台風等で生じた高潮により、人家のある地域への水の浸入を防ぐため、河岸や海岸に沿って土砂を盛り上げた堤防や防水用防護柵が構築されている。しかしながら、平成２３年３月１１日に起きた東日本大震災では、構築時の想定を上回る巨大津波を食い止めることができず、甚大な被害をもたらす結果となった。このため、今後構築すべき堤防や防水用防護柵は、洪水や津波に対する耐久性も、より高いレベルのものが要求されつつある。
【０００３】
なお、洪水や津波に対する耐久性を向上させるための技術は従来より各種提案されている（例えば、特許文献１参照。）。この特許文献１に開示の防水用の防護柵では、柵としての耐久性の向上とともに、簡単な作業で迅速に設置できることを目的としたものであり、断面矩形状の樹脂製板状体の内部に形成された中空部に金属製チャンネルを内装し、当該樹脂製板状体を複数個に亘って連結して構成している。板状体の素材として樹脂を用いることで板状体を軽量化することができることから、迅速かつ容易に防護柵を構築することが可能となる。またチャンネルとして剛性の高い金属を用いることにより剛性を向上させることが可能となり、洪水により板状体に伝わる外力が大きくなっても、パネルの撓み量を小さく抑えることが可能となり、長期に亘り繰り返し使用することも可能となる。
【０００４】
しかしながら、この特許文献１の開示技術では、樹脂製板状体内の中空部に金属製チャンネルを内装するものであるから、透光性を確保することができず、構築した防護柵により建築物や道路が日陰になってしまうことから、当該防護柵の周囲が常時暗くなってしまうという問題点もある。更に、この透光性を確保することができない特許文献１の開示技術では、海側の眺望を望めることができなくなることから景観を害し、また防護柵の存在により閉塞感や圧迫感を与えてしまうことにもなる。
【０００５】
また、河川の洪水等と比較して津波や台風による高潮の虞がある場合は、被害地域が広範に亘り、緊急時に被害の虞がある地域全体に防災対策を施すのは困難である。特に想定する津波のレベルによっては、防護柵のみでは確実に食い止められない場合もある。このため、津波や台風による高潮の虞がある地域では防水対策のみならず、一刻も早い住民の高所への避難を優先しなければならない。防護柵の力を過信しすぎると却って避難が遅れてしまい、人的損害につながる可能性も否定できない。かかる場合において、特許文献１の開示技術では、透光性を確保することができないため、防護柵によって視界が遮られて津波等が接近しつつあるのを視認することができず、避難が遅れてしまう虞もあった。
【０００６】
このため、今後は、津波の侵入を食い止めつつ、津波や洪水の接近を視認することが可能な堤防を構築する必要がある。
【先行技術文献】
【特許文献】
【０００７】
【特許文献１】実用新案登録第３１６６８２２号公報
【発明の概要】
【発明が解決しようとする課題】
【０００８】
なお、防護柵自体に透光性を施すことにより、確かに視認性が向上し、津波や洪水の接近を早期に確認して避難することも可能となり、防護柵による日照が遮られる問題や、閉塞感、圧迫感の問題についても改善を図ることが可能となる。防護柵に透光性を施す場合には、一般にはその材質について透光性を有するアクリル樹脂やポリカーボネート等の樹脂で構成することが考えられる。しかしながら、このような樹脂は、金属と比較して強度が弱く、洪水や津波により板状体に伝わる外力が大きい場合には、パネルの撓み量が大きくなって脆性破壊に至ってしまう。
【０００９】
このため、防護柵や堤防を樹脂で構成する場合には、特に洪水や津波により板状体に伝わる外力が大きくなる場合であっても、大きく撓んで破壊することなく、耐久性を永きに亘って発揮させる必要があった。
【００１０】
そこで本発明は、上述した問題点に鑑みて案出されたものであり、その目的とするところは、透光性を確保しつつ、洪水や津波に対する耐久性を向上させることが可能な防水防護柵、及びこれに用いられる樹脂製パネルユニット連結体を提供することにある。
【課題を解決するための手段】
【００１１】
本発明者は、上述した課題を解決するために、ウェブと、その上下端に形成されたフランジとを有する断面略コ字状のパネルユニットの開口部を両側から互いに対向させ、当該両側又は何れか一方側をそのフランジを介して２段以上に亘り連結させ、パネルユニットにおける各両側における最上端のフランジ同士及び最下端のフランジ同士を互いに接合させ、連結されたフランジは他のフランジと離間させた樹脂製パネルユニット連結体を発明した。
【００１２】
請求項１記載の樹脂製パネルユニット連結体は、洪水や津波の浸入を防ぐ防水防護柵に用いられる樹脂製パネルユニット連結体であって、ウェブと、上記ウェブの上下端に形成されたフランジとを有する断面略コ字状のパネルユニットの開口部を両側から互いに対向させるとともに、当該両側又は何れか一方側が上記フランジを介して２段以上に亘り連結される連結フランジ部と備え、上記パネルユニットは、上記各両側における最上端のフランジ同士及び最下端のフランジ同士が互いに接合され、上記連結フランジ部は他のフランジと離間させてなることを特徴とする。
【００１３】
請求項２記載の樹脂製パネルユニット連結体は、請求項１記載の発明において、上記連結されたフランジは、対向するパネルユニットの開口部のウェブに接触していることを特徴とする。
【００１４】
請求項３記載の樹脂製パネルユニット連結体は、請求項１又は２記載の発明において、上記最上端のフランジ同士、上記最下端のフランジ同士、上記連結されたフランジの何れか１以上は、パネル延長方向に向けて補剛板が取り付けられていることを特徴とする。
【００１５】
請求項４記載の樹脂製パネルユニット連結体は、請求項１〜３のうち何れか１項記載の発明において、上記パネルユニットは、互いに対向させた開口部の内側に補強部材を内装させていることを特徴とする。
【００１６】
請求項５記載の樹脂製パネルユニット連結体は、請求項４記載の発明において、上記補強部材は、互いに対向させた開口部の内側に内接させた板状体であることを特徴とする。
【００１７】
請求項６記載の樹脂製パネルユニット連結体は、請求項４記載の発明において、上記補強部材は、上記連結されたフランジに対応した位置において板幅が縮径された縮幅部を有する一枚の板状体であり、上記連結されたフランジは、上記補強部材の配設位置に対応した位置に上記縮幅部の幅以上の深さからなる切欠が設けられ、上記切欠には、上記補強部材が上記縮幅部を介して嵌合されることを特徴とする。
【００１８】
請求項７記載の樹脂製パネルユニット連結体は、請求項１〜５のうち何れか１項記載の発明において、上記連結させるフランジ間には、第１止水材が介装されていることを特徴とする。
【００１９】
請求項８記載の樹脂製パネルユニット連結体は、請求項１〜６のうち何れか１項記載の発明において、上記連結させるフランジは、ボルト接合され、又は接着剤により接着されていることを特徴とする。
【００２０】
請求項９記載の樹脂製パネルユニット連結体は、請求項１〜８のうち何れか１項記載の発明において、上記パネルユニットは、透光性樹脂からなることを特徴とする。
【００２１】
請求項１０記載の防水パネル柵は、複数の支柱間に請求項１〜９のうち何れか１項記載の樹脂製パネルユニット連結体が取り付けられていることを特徴とする。
【００２２】
請求項１１記載の防水パネル柵は、請求項１０記載の発明において、上記支柱は、支柱ウェブと、上記支柱ウェブの端部に形成された支柱フランジとを有するＨ形鋼又は溝形鋼であり、当該Ｈ形鋼又は溝形鋼の支柱フランジ間に上記樹脂製パネルユニット連結体の端部が挿入され、更に当該支柱フランジと上記樹脂製パネルユニット連結体との間に第２止水材が介装されていることを特徴とする。
【００２３】
請求項１２記載の防水パネル柵は、請求項１１記載の発明において、請求項５又は６記載の樹脂製パネルユニット連結体が取り付けられ、上記補強部材は、上記第２止水材が上記パネルユニット連結体の外側面と当接している位置に対応して設けられていることを特徴とする。
【発明の効果】
【００２４】
上述した構成からなる本発明よれば、樹脂製パネルユニット連結体を透光性の樹脂で構成している。このため、構築した防水パネル柵により建築物や道路が日陰になってしまうのを防止することができ、防水パネル柵の存在により、その周囲が暗くなってしまうのを防止することができる。また、この樹脂製パネルユニット連結体が透光性を確保することができることから、海側の眺望を望めることが可能となるから景観の向上を図ることができ、しかも防水パネル柵の存在により閉塞感や圧迫感を与えてしまうことを防止できる。また、この樹脂製パネルユニット連結体が透光性を確保することができることから、視界が遮られることもなく、津波等が接近しつつあるのを視認することができ、早期に避難を開始することが可能となる。
【００２５】
また、上述した構成からなる本発明によれば、津波による外力が横方向から加わった場合においても、パネルユニットにおけるフランジには、補剛板が取り付けられている。このため、補剛板によりフランジの剛性を補強することが可能となり、津波に対する耐力を向上させることが可能となる。
【００２６】
また、パネルユニットにおける両側のウェブに内接させつつ補強部材を設けている。これにより、津波等により当該ウェブに対して水圧や波圧が負荷した場合においても、この補強部材によりウェブを強固に支持することが可能となり、パネルユニット３としての断面形状が平行四辺形状に変形してしまうのを防止して、断面矩形状を保持することが可能となる。
【００２７】
また、本発明によれば、個々のパネルユニットのウェブと、フランジとの間で囲まれた断面視で閉空間を構成するようにしており、特にフランジが海側から陸側にかけて二重に亘って設けられている。このため、一枚の樹脂板により壁体を構成する場合と比較して、断面二次モーメントを大きくすることができ、津波による水圧が横方向から負荷されても曲げ変形量を小さくすることでこれに対抗することが可能となる。
【図面の簡単な説明】
【００２８】
【図１】本発明を適用した防水パネル柵の構成を示す斜視図である。
【図２】（ａ）は、本発明を適用した防水パネル柵の平面図であり、（ｂ）はその正面図である。
【図３】樹脂製パネルユニット連結体の斜視図である。
【図４】樹脂製パネルユニット連結体の組立斜視図である。
【図５】樹脂製パネルユニット連結体の断面図である。
【図６】樹脂製パネルユニット連結体の組立断面図である。
【図７】図５の各部について詳細に説明するための図である。
【図８】樹脂製パネルユニット連結体を複数段に亘って積み上げる例について説明するための図である。
【図９】樹脂製パネルユニット連結体を支柱に固定する例について説明するための平面図である。
【図１０】樹脂製パネルユニット連結体を支柱に固定する例について説明するための斜視図である。
【図１１】（ａ）は、樹脂製パネルユニット連結体について、Ａ側において２段で、Ｂ側において２段で構成した例を示す図であり、（ｂ）は、Ａ側において２段で構成し、Ｂ側において１段で構成した例を示す図である。
【発明を実施するための形態】
【００２９】
以下、本発明を実施するための形態として、洪水や津波等を始めとした水の浸入を防ぐ防水パネル柵について図面を参照しながら詳細に説明する。
【００３０】
図１は、防水パネル柵１の構成を示す斜視図であり、図２（ａ）は防水パネル柵１の平面図であり、図２（ｂ）はその正面図である。防水パネル柵１は、基礎１１１に対して所定間隔で立設された支柱２と、この支柱２間に嵌合された樹脂製パネルユニット連結体３０と、支柱２の上端に取り付けられる押さえ材５とを備えている。
【００３１】
基礎１１１は、例えばコンクリート製で構成されている。基礎１１１は、図１に示すように海（又は河川）等の沿岸に沿って設けられている。基礎１１１は、立設すべき支柱２を嵌め込むための図示しない嵌合孔が設けられていてもよく、当該図示しない嵌合孔の近傍は周囲よりも高く盛り上げられていてもよい。
【００３２】
支柱２は、支柱ウェブ部１２１の両端に一対の支柱フランジ部１２２、１２３が連設されたＨ形鋼からなる。即ち、この支柱２は、支柱ウェブ部１２１、支柱フランジ部１２２、１２３により囲まれてなる溝部が形成されている。この支柱フランジ部１２２は、陸側に向けて配置され、支柱フランジ部１２３は、海側（河川側）に向けて配置される。支柱２は、製造コストの観点からＨ形鋼を用いるのが望ましいが、これに限定されるものではなく、同様に支柱ウェブ部１２１の両端に一対の支柱フランジ部１２２、１２３が連設された断面略コ字状の溝形鋼で構成されていてもよいし、十分な剛性を確保できるものであれば他の如何なる断面形状の鋼材で構成されていてもよい。
【００３３】
樹脂製パネルユニット連結体３０は、樹脂性のパネルユニット３を複数に亘り連結させて構成されている。図３は、樹脂製パネルユニット連結体３０の斜視図であり、図４はその組立斜視図、図５はその断面図、図６はその組立断面図である。
【００３４】
この樹脂製パネルユニット連結体３０は、アクリル樹脂やポリカーボネート等の透光性樹脂からなる複数のパネルユニット３と、パネルユニット３に取り付けられる補剛板１１〜１３と、パネルユニット３の内側に内装された補強部材２１とを有している。なお、パネルユニット３は、透光性樹脂に限定されることなく、光を透過しない他の金属、セラミックス、樹脂等、いかなる材料で構成されていてもよい。
【００３５】
パネルユニット３は、ウェブ３１と、ウェブ３１の上端に形成されたフランジ３２と、ウェブ３１の下端に形成されたフランジ３３とを備えている、いわゆる断面略コ字状で成形されている。即ち、このパネルユニット３は、ウェブ３１と、フランジ３２と、フランジ３３とにより略コ字状に開口した形状とされている。パネルユニット３は、図４に示すように断面略コ字状の樹脂成形体が長手方向Ｃに向けて延長された構成とされている。この長手方向Ｃへの延長長さは、隣接する支柱２の間隔に対応したものとなっている。
【００３６】
樹脂製パネルユニット連結体３０は、開口部を図中Ａ側に向けた３段に亘るパネルユニット３ａ〜３ｃと、開口部を図中Ｂ側に向けた２段に亘るパネルユニット３ｄ、３ｅとを有している。これらパネルユニット３ａ〜３ｃと、パネルユニット３ｄ、３ｅとを開口部を介して互いに対向させる。そして、これら互いに対向させたパネルユニット３ａ〜３ｃをＡ側から、またパネルユニット３ｄ、３ｅをＢ側から合わせ、互いに接合されている。
【００３７】
即ち、Ａ側からは奇数のパネルユニット３ａ〜３ｃ、Ｂ側からは偶数のパネルユニット３ｄ、３ｅを接合し、Ａ側からのパネルユニット３ａ〜３ｃの上下端に配するパネルユニット３ａ，３ｃは、その間のパネルユニット３ｂの略半分の高さに形成している。そして、Ｂ側からのパネルユニット３ｄ、３ｅは、パネルユニット３ｂと略同じ高さに形成されている。このようにパネルユニット３を構成することにより、より剛直且つ一体的に樹脂製パネルユニット連結体３０を形成することができる。
【００３８】
接合後の状態は、図５に示すように、パネルユニット３ａ〜３ｃのうち最上端にあるフランジ３２ａと、パネルユニット３ｄ、３ｅのうち最上端にあるフランジ３２ｄとを互いに接合して構成してなる。同様にパネルユニット３ａ〜３ｃのうち最下端にあるフランジ３３ｃと、パネルユニット３ｄ、３ｅのうち最下端にあるフランジ３３ｅとを互いに接合して構成してなる。ちなみに、本実施の形態においては、フランジ３２ａの上面にフランジ３２ｄの下面を当接させた状態で、これらを互いに接合している状態を例に挙げて説明をするが、これに限定されるものではなく、フランジ３２ｄの上面にフランジ３２ａの下面を当接させた状態で、これらを互いに接合するようにしてもよい。同様に本実施の形態においては、フランジ３３ｃの下面にフランジ３３ｅの上面を当接させた状態で、これらを互いに接合している状態を例に挙げて説明をするが、これに限定されるものではなく、フランジ３３ｅの下面にフランジ３３ｃの上面を当接させた状態で、これらを互いに接合するようにしてもよい。
【００３９】
またパネルユニット３ａ〜３ｃ間の連結、及びパネルユニット３ｄ、３ｅ間の連結は、互いにフランジ３２、３３を介して連結される。即ち、パネルユニット３ａにおけるフランジ３３ａとパネルユニット３ｂにおけるフランジ３２ｂとが互いに連結され、パネルユニット３ｂにおけるフランジ３３ｂとパネルユニット３ｃにおけるフランジ３２ｃとが互いに連結されることとなる。また、パネルユニット３ｄにおけるフランジ３３ｄと、パネルユニット３ｅにおけるフランジ３２ｅとが互いに連結される。
【００４０】
このようにして互いに連結されたフランジ３３ａとフランジ３２ｂ、フランジ３３ｂとフランジ３２ｃ、フランジ３３ｄとフランジ３２ｅは、樹脂製パネルユニット連結体３０の中段を構成する、いわゆる連結フランジであるが、それぞれ一体化されていることからあたかも一つのフランジとして作用することとなる。また、フランジ３３ａとフランジ３２ｂ、フランジ３３ｂとフランジ３２ｃ、フランジ３３ｄとフランジ３２ｅは、互いに干渉しないように、離間させて設けられている。このフランジ３３ａとフランジ３２ｂ、フランジ３３ｂとフランジ３２ｃ、フランジ３３ｄとフランジ３２ｅは、最上端を構成するフランジ３２ａとフランジ３２ｄ、並びに最下端を構成するフランジ３３ｃとフランジ３３ｅとに対しても離間されているので、これらと干渉しないように構成されていることは勿論である。即ち、樹脂製パネルユニット連結体３０の中段を構成するフランジ３３ａとフランジ３２ｂ、フランジ３３ｂとフランジ３２ｃ、フランジ３３ｄとフランジ３２ｅは、互いに他のいかなるフランジ３２と接触しない位置に設けられていることが前提となる。
【００４１】
またフランジ３３ａとフランジ３２ｂの先端は、対向するパネルユニット３ｄの開口部のウェブ３１ｄに接触されている。フランジ３３ｂとフランジ３２ｃの先端は、対向するパネルユニット３ｅのウェブ３１ｅに接触されている。フランジ３３ｄとフランジ３２ｅの先端は、対向するパネルユニット３ｂのウェブ３１ｅに接触されている。このとき、フランジ３３とフランジ３２の各先端が単にウェブ３１に接触されている場合のみならず、これらが互いに溶着固定されていてもよい。
【００４２】
なお、全てのフランジ３２、３３には、ボルト挿通孔３８が穿設されている。
【００４３】
パネルユニット３におけるフランジ３３ｅの下面には、補剛板１３ｂが取り付けられている。この補剛板１３ｂは、図４に示すようにパネルユニット３の長手方向Ｃに向けて延長されている。図７（ａ）は、図５のＰ部詳細図を示しているが、この補剛板１３ｂの上面がフランジ３３ｅの下面に対して隙間無く面接触させた状態で取り付けられる。補剛板１３ｂには、孔１８が設けられている。この孔１８は、補剛板１３ｂの下面から上面に向けて縮径化された形状となっている。
【００４４】
パネルユニット３におけるフランジ３３ｃの上面には、補剛板１３ａが取り付けられている。この補剛板１３ａは、図４に示すようにパネルユニット３の長手方向Ｃに向けて延長されている。補剛板１３ａの下面がフランジ３３ｃの上面に対して隙間無く面接触させた状態で取り付けられる。補剛板１３ａには、ネジ孔１９が設けられている。
【００４５】
補剛板１３ｂの孔１８には、皿ボルト１６が下側から挿入される。皿ボルト１６の頭部は扁平形状とされているため、この皿ボルト１６を補剛板１３ｂの孔１８に挿入することで、補剛板１３ｂの下面と皿ボルト１６の頭部との間で略同一平面が形成されることとなる。この皿ボルト１６の足は、フランジ３３ｅ、３３ｃにおける各ボルト挿通孔３８を挿通させる。また皿ボルト１６の足はネジ状とされており、上述した補剛板１３ａのネジ孔１９に挿入され、螺着固定される。
【００４６】
このようにして皿ボルト１６により、補剛板１３ｂ、フランジ３３ｅ、フランジ３３ｃ、補剛板１３ａを重ね合わせた状態で互いに接合することが可能となる。
【００４７】
パネルユニット３におけるフランジ３２ｃの下面には、補剛板１２ｃが取り付けられている。この補剛板１２ｃは、図４に示すようにパネルユニット３の長手方向Ｃに向けて延長されている。図７（ｂ）は、図５のＱ部詳細図を示しているが、この補剛板１２ｃの上面がフランジ３２ｃの下面に対して隙間無く面接触させた状態で取り付けられる。補剛板１２ｃには、ネジ孔１９が設けられている。
【００４８】
このような補剛板１１〜１３は、何れも金属性の板状体とすることで、フランジ３２、３３の剛性を補強することが可能となる。但し、補強板１１〜１３は、これに限定されるものではなく、フランジ３２、３３の剛性を補うことができるものであれば、樹脂性、木製、セラミック製等、いかなる材料で構成されていてもよい。
【００４９】
このような補剛板１２ｃの取り付けは、ボルト１７を使用して行う。ボルト１７は、フランジ３３ｂ、フランジ３２ｃの各ボルト挿通孔３８に上から下にむけて挿通されて、補剛板１２ｃにおけるネジ孔１９に螺着固定される。このようにしてボルト１７により、補剛板１２ｃ、フランジ３３ｂ、フランジ３２ｃを重ね合わせた状態で互いに接合することが可能となる。
【００５０】
なお補剛板１２ｃは、フランジ３２ｃの下面に取り付けられる代替として、例えばフランジ３３ｂの上面に取り付けるようにしてもよい。かかる場合にはボルト１７はフランジ３２ｃの下側から挿入されて螺着固定されることとなる。
【００５１】
フランジ３３ｄとフランジ３２ｅに対しても補剛板１２ｂがボルト１７を介して同様に取り付けられ、フランジ３３ａとフランジ３２ｂに対しても補剛板１２ａがボルト１７を介して同様に取り付けられる。取り付け方法の詳細については、上述した図７（ｂ）の説明を引用することで以下での説明は省略する。
【００５２】
パネルユニット３におけるフランジ３２ａの上面には、補剛板１１ａが取り付けられている。この補剛板１１ａは、図５に示すようにパネルユニット３の長手方向Ｃに向けて延長されている。図７（ｃ）は、図５のＲ部詳細図を示しているが、この補剛板１１ａの下面がフランジ３２ｄの上面に対して隙間無く面接触させた状態で取り付けられる。補剛板１１ａには、孔１８が設けられている。この孔１８は、補剛板１１ａの上面から下面に向けて縮径化された形状となっている。
【００５３】
パネルユニット３におけるフランジ３２ａの下面には、補剛板１１ｂが取り付けられている。この補剛板１１ｂは、図４に示すようにパネルユニット３の長手方向Ｃに向けて延長されている。補剛板１１ｂの上面がフランジ３２ａの下面に対して隙間無く面接触させた状態で取り付けられる。補剛板１１ｂには、ネジ孔１９が設けられている。
【００５４】
補剛板１１ａの孔１８には、皿ボルト１６が上側から挿入される。皿ボルト１６の頭部は扁平形状とされているため、この皿ボルト１６を補剛板１１ａの孔１８に挿入することで、補剛板１１ａの上面と皿ボルト１６の頭部との間で略同一平面が形成されることとなる。この皿ボルト１６の足は、フランジ３２ｄ、３２ａにおける各ボルト挿通孔３８を挿通させる。皿ボルト１６の足にはネジ状とされており、上述した補剛板１３ａのネジ孔１９に挿入され、螺着固定される。
【００５５】
このようにして皿ボルト１６により、補剛板１１ａ、フランジ３２ｄ、フランジ３２ａ、補剛板１１ｂを重ね合わせた状態で互いに接合することが可能となる。
【００５６】
補剛板１１は、互いに接合された各段におけるフランジ３２、３３に取り付けられている場合に限定されること無く、何れか１以上の段に取り付けられて入れてもよい。補剛板１１自体の構成を省略するようにしても良い。
【００５７】
ちなみに、パネルユニット３間の連結は、上述した皿ボルト１６、ボルト１７を使用する場合に限定されるものではなく、熱溶着や接着剤による接着等、他のいかなる方法により連結するようにしてもよい。熱溶着や接着剤による接着等によりパネルユニット３間を連結する場合には、それ自体に止水機能を持たせることも可能となることから、止水材１５を別途設ける必要も無くなり、施工労力の低減、材料コストの低減を図ることも可能となる。
【００５８】
なお、互いに接合する各フランジ３２、３３の間には止水材１５を設けるようにしてもよい。この止水材１５は、例えばゴム等の弾性体で構成されている。この止水材１５を挿入することにより、フランジ３２、３３の間隙からパネル内部へと水が浸入するのを防止することが可能となる。同様に補剛板１２、１３と各フランジ３２、３３の間にも止水材１５を設けるようにしてもよい。
【００５９】
パネルユニット３の内側に内装された補強部材２１は、図６に示すように一枚の樹脂板を所定形状に加工又は成形することで得られる。この補強部材２１は、溝５１ａ〜５１ｃと、溝５１ａ〜５１ｃに対応した高さにおいて板幅が縮径された縮幅部５２ａ〜５２ｃと、縮幅部５２ａ〜５２ｃを介して隔てられ、板幅が拡径された拡径部５３ａ〜５３ｄとを有している。また補強部材２１には、更に上端が補剛板１１ｂの板厚に応じた深さで下側に向けて段差が設けられた段差部５４ａと、下端が補剛板１３ａの板厚に応じた深さで上側に向けて段差が設けられた段差部５４ｂとを有している。段差部５４ａには更に小溝５５ａが形成され、段差部５４ｂには更に小溝５５ｂが設けられている。またこのような段差部５４ａ、５４ｂが設けられることにより、隅部５６ａは段差部５４ａよりも上側に突出している形状を形成しており、また隅部５６ｂは、段差部５４ｂよりも下側に突出している形状を形成している。
【００６０】
溝５１ａは、フランジ３３ａ、３２ｄ、補剛板１２ａが挿入される。また溝５１ｂには、フランジ３３ｄ、３２ｅ、補剛板１２ｂが挿入される。また溝５１ｃには、フランジ３３ｂ、３２ｃ、補剛板１２ｃが挿入される。このため、これら溝５１は何れもフランジ３３、３２、補剛板１２の板厚に応じた高さとされている。
【００６１】
またこのフランジ３３、３２における補強部材２１の取り付け箇所には、図４に示すように切欠６１が設けられている。切欠６１は、縮幅部５２ａ〜５２ｃの幅以上の深さからなる。切欠６１には、補強部材２１が縮幅部５２ａ〜５２ｃを介して嵌合される。その結果、補強部材２１における縮幅部５２は切欠６１内部に収容されることとなる。
【００６２】
段差部５４ａの上端には補剛板１１ｂが当接状態となる。このとき段差部５４ａの深さは、補剛板１１ｂの厚みと略同一となることから、補剛板１１ｂの上面と隅部５６ａの上端は略同一高さとなる。これにより、上述したように補剛板１１ｂの上面に取り付けられるフランジ３２ａにおいて隅部５６ａとの間で段差が生じることなく隙間無く取り付けを行うことができる。
【００６３】
段差部５４ｂの下端には補剛板１３ａが当接状態となる。このとき段差部５４ｂの深さは、補剛板１３ａの厚みと略同一となることから、補剛板１３ａの下面と隅部５６ｂの下端は略同一高さとなる。これにより、上述したように補剛板１３ｂの下面に取り付けられるフランジ３３ｃにおいて隅部５６ｂとの間で段差が生じることなく隙間無く取り付けを行うことができる。
【００６４】
拡径部５３ａ〜５３ｄは、断面視で互いに対向するフランジ３２、３３、ウェブ３１により囲まれる空間をあたかも埋めるような形状とされている。即ち、この拡径部５３ａ〜５３ｄの両側面は、その両側にあるウェブ３１ａ、３１ｂ、３１ｃと、ウェブ３１ｄ、３１ｅと内接させた状態で配設されることとなる。
【００６５】
小溝５５ａ、５５ｂは、皿ボルト１６の足の形状との関係において加工される。小溝５５ａ、５５ｂに皿ボルト１６の足が干渉することを避けるために設けられる。
【００６６】
ちなみに、この補強部材２１の長手方向Ｃに向けた取り付け位置は、図４に示す例において、長手方向Ｃの両端近傍にそれぞれ２箇所と、長手方向Ｃの中央に１箇所の合計３箇所であるがこれに限定されるものではない。例えば長手方向Ｃの長さがより短いものであれば長手方向Ｃの中央に配設される補強部材２１を省略するようにしてもよい。長手方向Ｃの長さがより長いものであれば、補強部材２１の配設枚数を４枚以上としてもよい。なお補強部材２１自体の構成は必須ではなく、必要に応じて省略してもよいことは勿論である。
【００６７】
また、この補強部材２１は、一枚の樹脂板で構成される場合以外に、断面視で互いに対向するフランジ３２、３３、ウェブ３１により囲まれる空間毎に別々樹脂板を配設するようにしてもよい。また、この補強部材２１は、樹脂で構成される場合以外に、補剛板等を用いるようにしてもよい。
【００６８】
なお、上述した構成からなる樹脂製パネルユニット連結体３０は、支柱２間において一段のみで構成するようにしてもよいが、複数段積層させて構成するようにしてもよい。かかる場合には、図８（ａ）に示すように、下段における樹脂製パネルユニット連結体３０の最上端に位置する補剛板１１ａの最上面と、上段における樹脂製パネルユニット連結体３０の最下端に位置する補剛板１３ｂの最下面とを互いに当接させた状態で積み上げる。このとき、接触させる補剛板１１ａと補剛板１３ｂとの間には止水材６９を介装させるようにしてもよい。また図８（ｂ）に示すように、補剛板１１ａと補剛板１３ｂの幅が短いため、上段への安定した載置を実現するために、補剛板１１ａと補剛板１３ｂの周囲にゴム板９１を更に介装するようにしてもよい。
【００６９】
また樹脂製パネルユニット連結体３０を実際に支柱２間において配設する場合には、ウェブ３１ｄ、３１ｅが河川や海に面する方向に向けるのが望ましい。その理由として、ウェブ３１ｄ、３１ｅを構成するＢ側は２つのパネルユニット３ｄ、３ｅで構成しているが、対するＡ側は３つのパネルユニット３ａ〜３ｃで構成している。このため、パネルユニット３の数が少ないＢ側の方がパネルユニット３間の境目がＡ側よりも少なくなる。上述したようにパネルユニット３間は、止水材１５を介装することで水の浸入防止を図っているが、更にその水の浸入をより効果的に防止するため、パネルユニット３の境目数が少ないＢ側の方を河川や海に面する方向に向ける。
【００７０】
このようにして支柱２間に嵌め込まれた樹脂製パネルユニット連結体３０は、支柱２における支柱フランジ部１２２、１２３、支柱ウェブ部１２１により囲まれる溝部分に落とし込むことで配設される。樹脂製パネルユニット連結体３０は、図９、１０に示すようにパネル固定金具５により上から押さえ込んで固定される。パネル固定金具５は、Ｕ字状に加工された支持金具７６と、押さえ材８１と、ボルト８２とを有する。
【００７１】
支持金具７６における互いに平行となるように折り曲げられた両側板は、それぞれ支柱フランジ部１２２、１２３に対してボルト８３、ナット８４により取り付けられる。また補剛板１１ａに対して略平行とされている支持金具７６の中央部分の孔には、押さえ材８１が挿入される。押さえ材８１は、少なくとも底面が扁平状とされ、これが補剛板１１ａに当接可能とされている。また、この押さえ材８１にはボルト８２が取り付けられる。このボルト８２は、支持金具７６の中央部分の孔に設けられたネジと螺着され、当該ボルト８２を回転させることにより、押さえ材８１を下方へ押圧可能とされている。これにより、押さえ材８１を補剛板１１ａに押し付けることが可能となる。その結果、樹脂製パネルユニット連結体３０が、津波等の外力を受けて上に上がろうとするのをパネル固定金具５を介して抑えることが可能となる。
【００７２】
ちなみに、この押さえ材５の形状は、上述の構成に限定されるものではなく、少なくとも支柱２における支柱ウェブ部１２１に当接可能な当接板５７と、樹脂製パネルユニット連結体３０を上から押さえつけることが可能な押さえ板７６を有するものであればいかなる形状とされていてもよい。
【００７３】
樹脂製パネルユニット連結体３０は、この支柱２における支柱フランジ部１２２、１２３間にほぼ隙間無く嵌合させるようにしてもよいし、支柱フランジ部１２２、１２３との間で間隙を設けるようにして配置するようにしてもよい。かかる場合には、支柱フランジ部１２２、１２３と樹脂製パネルユニット連結体３０との間隙に鉛直止水材７１を設けるようにしてもよい。この鉛直止水材７１は、例えばゴム等の弾性体で構成されている。この鉛直止水材７１を挿入することにより、支柱フランジ部１２２、１２３と樹脂製パネルユニット連結体３０との間隙から内部へと水が浸入するのを防止することが可能となる。
【００７４】
鉛直止水材７１は、支柱フランジ部１２２、１２３の内側に鉛直方向に延びて設けられた１対の止水材である。鉛直止水材７１は、ＣＲ（Chloroprene）ゴム等の弾性樹脂から形成される中空のチューブ状のゴムガスケットである。鉛直止水材７１は、平面視において支柱フランジ部１２２から樹脂製パネルユニット連結体３０に向けて突出している。こうして突出した鉛直止水材７１が、その弾性変形力により支柱２に嵌め込まれたパネルユニット３を押圧することで、パネルユニット３と支柱２との間の水密性が確保され、パネルユニット３と支柱２との接合部からの漏水が効果的に防止される。
【００７５】
この鉛直止水材７１の配設位置は、補強部材２１との関係において予め決定される。即ち、支柱フランジ部１２２、１２３と樹脂製パネルユニット連結体３０との隙間に介装される鉛直止水材７１が、樹脂製パネルユニット連結体３０に当接している位置に対応させて補強部材２１が設けられている。
【００７６】
ちなみに上下に隣り合うパネルユニット３の間には、連結部止水ゴム２７が充填されていてもよい。連結部止水ゴム２７は、互いに隣り合うパネルユニット３において、上側のパネルユニット３の外周の隅部と下側のパネルユニット３の外周の隅部との間に設けられた隙間を埋める形で取り付けられている。この隙間は、パネルユニット３において断面視で略矩形の角部が曲率を帯びていることにより生まれる。なお、連結部止水ゴム２７は、シリコーン系または変性シリコーン系あるいはポリウレタン系などのコーキング材を用いるようにしてもよい。
【００７７】
連結部止水ゴム２７は、図１０に示すように少なくとも鉛直止水材７１の当接位置に充填されていればよい。これにより外部から浸入しようとする水は、この鉛直止水材７１と連結部止水ゴム２７とにより、止水されることとなる。
【００７８】
なお、樹脂製パネルユニット連結体３０を支柱２に取り付けえる形態は、上述したように支柱２における支柱フランジ部１２２、１２３、支柱ウェブ部１２１により囲まれる溝部分に落とし込むことで配設する場合に限定されるものではなく、支柱２に安定して取り付けられるものであれば他のいかなる周知の方法に基づいて取り付けられていてもよい。
【００７９】
上述した構成からなる防水パネル柵１は、樹脂製パネルユニット連結体３０を透光性の樹脂で構成している。このため、構築した防水パネル柵１により建築物や道路が日陰になってしまうのを防止することができ、防水パネル柵１の存在により、その周囲が暗くなってしまうのを防止することができる。また、この樹脂製パネルユニット連結体３０が透光性を確保することができることから、海側の眺望を望めることが可能となるから景観の向上を図ることができ、しかも防水パネル柵１の存在により閉塞感や圧迫感を与えてしまうことを防止できる。また、この樹脂製パネルユニット連結体３０が透光性を確保することができることから、視界が遮られることもなく、津波等が接近しつつあるのを視認することができ、早期に避難を開始することが可能となる。
【００８０】
また、上述した構成からなる防水パネル柵１では、津波による外力が横方向から加わった場合においても、パネルユニット３におけるフランジ３２、３３には、補剛板１１が取り付けられている。このため、補剛板１１によりフランジ３２、３３の剛性を補強することが可能となる。フランジ３２、３３は、それぞれ対向するウェブ３１に当接されており、このフランジ３２、３３及びウェブ３１を介して特に津波による横方向からの外力を伝達させる重要な役割を担うが、これを補剛板１１を介して補強することで津波に対する耐力を向上させることが可能となる。
【００８１】
補強部材２１は、パネルユニット３における両側のウェブ３１に内接している。このため、津波等により、ウェブ３１に対して水圧や波圧が負荷した場合においても、この補強部材２１によりウェブ３１を強固に支持することが可能となり、パネルユニット３としての断面形状が平行四辺形状に変形してしまうのを防止して、断面矩形状を保持することが可能となる。
【００８２】
また、本発明によれば、補強部材２１を内装する際において、フランジ３２、３３に設けられた切欠６１に補強部材２１における縮幅部５２ａ〜５２ｃを嵌合させる。これにより、補強部材２１における縮幅部５２は切欠６１内部に収容されることとなり、縮幅部５２自体が障壁となることなく、フランジ３２、３３の先端が対向するウェブ３１への接触状態を維持することが可能となる。これにより、海又は河川側にあるウェブ３１ｄ、３１ｅに対して水圧や波圧が負荷した場合においても、これを補強部材２１を介して対向する反対側のウェブ３１ａ〜３１ｃへと応力を伝達させて分散させることができる。その結果、樹脂製パネルユニット連結体３０自体の撓みを低減させることが可能となる。
【００８３】
特にこの補強部材２１の配設位置は、上述したように鉛直止水材７１が支柱フランジ部１２２、１２３への当接位置に対応させている。津波等によりウェブ３１に応力が負荷した場合に、この鉛直止水材７１が支点となってより多くのせん断力が負荷される。このせん断力は、鉛直止水材７１から補強部材２１を介して伝達されることとなり、樹脂製パネルユニット連結体３０自体がせん断は介してしまうのを防止することができる。
【００８４】
また、本発明によれば、個々のパネルユニット３のウェブ３１と、フランジ３２、３３との間で囲まれた断面視で閉空間を構成するようにしており、特にフランジ３２、３３が海側から陸側にかけて二重に亘って設けられている。このため、一枚の樹脂板により壁体を構成する場合と比較して、断面二次モーメントを大きくすることができ、津波による水圧が横方向から負荷されても曲げ変形量を小さくすることでこれに対抗することが可能となる。
【００８５】
更に、本発明によれば、パネルユニット３間は、止水材１５や熱溶着又は接着剤を通じて強固に固着されていることから、津波や洪水等により水がパネルユニット３内部に浸入してしまうのを強固に防ぐことが可能となる。
【００８６】
また、このパネルユニット３間を、ウェブ３１、フランジ３２、３３を介して中空状に構成していることから、これを中実状に構成する場合と比較して材料コストの低減を図りつつ、津波等による外力に対する高い耐久性を維持することが可能となる。
【００８７】
なお本発明は、上述した実施の形態に限定されるものではない。例えば図１１（ａ）は、樹脂製パネルユニット連結体３０について、Ａ側においてはパネルユニット３ａ、３ｂの２段で構成し、Ｂ側においては、パネルユニット３ｄ、３ｅの２段で構成した場合の例であるが、かかる場合においても同様の作用効果を奏することは勿論である。同様に図１１（ｂ）は、Ａ側においてはパネルユニット３ａ、３ｂの２段で構成し、Ｂ側においては、パネルユニット３ｄ、の１段で構成した場合の例であるが、かかる場合においても同様の作用効果を奏することは勿論である。即ち、本発明では、当該Ａ、Ｂ両側又はＡ、Ｂ何れか一方側が２段以上に亘りパネルユニット３が連結されるものであればよい。
【符号の説明】
【００８８】
１  防水パネル柵
２  支柱
３  パネルユニット
５  パネル固定金具
１１〜１３  補剛板
１５  止水材
１６  皿ボルト
１７  ボルト
１８  孔
１９  ネジ孔
２１  補強部材
２７  連結部止水ゴム
３０  樹脂製パネルユニット連結体
３１  ウェブ
３２、３３  フランジ
３８  ボルト挿通孔
５１  溝
５２  縮幅部
５３  拡径部
５４  段差部
５５  小溝
５６  隅部
５７  当接板
５９  ボルト
６１  切欠
６６  ナット
６９  止水材
７１  鉛直止水材
７５  補剛板
７６  支持金具
８１  押さえ材
８２、８３  ボルト
８４  ナット
９１  ゴム板
１１１  基礎
１２１  支柱ウェブ部
１２２  支柱フランジ部
１２３  支柱フランジ部
【図１】
2015086514.tif 000003
【図２】
2015086514.tif 000004
【図３】
2015086514.tif 000005
【図４】
2015086514.tif 000006
【図５】
2015086514.tif 000007
【図６】
2015086514.tif 000008
【図７】
2015086514.tif 000009
【図８】
2015086514.tif 000010
【図９】
2015086514.tif 000011
【図１０】
2015086514.tif 000012
【図１１】
2015086514.tif 000013